(57)【要約】本発明は、照明自動制御方法及びシステムに関し、特に、ユーザＩＤを認識し、認識されたユーザＩＤを確認し、ビルの出入り有無を判断した後、出入りまたは退室有無によってユーザＩＤに連関された照明リストを検索し、該当する多数の照明を制御するビル内の照明自動制御方法及びシステムに関する。これにより、室内在室人員有無と関係なく点灯及び消灯されることによって空き空間の照明点灯に起因するエネルギーの無駄使いを低減することができると共に、照明ランプの交替費用や照明エネルギーによる費用を低減することができ、且つユーザがスイッチを用いて点灯及び消灯をしなければならないシステムの不便さを減少させることができる。また、ビル内の自分の出入り情報によって自動に点灯及び消灯し、ユーザ便宜を向上させることができ、付加的にビル内の空調システムと自動に連動して在室人員に対するデータのリアルタイム把握が可能である。
2013541809.tif 000002
【特許請求の範囲】
【請求項１】
出入り個所に設置され、出入りするユーザのＩＤを認識する１つ以上のＩＤ認識部と、
前記ＩＤ認識部を介して認識された前記ユーザＩＤを確認し、前記確認されたユーザＩＤに対するビルの出入り有無を判断し、前記ユーザＩＤのユーザが前記ビルに出入りする場合、前記確認されたユーザＩＤに連関された照明リストを検索し、前記検索された照明リストに含まれる多数の照明を制御してオン（ＯＮ）にし、前記出入り有無の判断結果、前記ユーザＩＤのユーザが前記ビルから退室する場合、前記確認されたユーザＩＤに連関された照明リストを検索し、検索された照明リストに含まれる照明のうち他のユーザＩＤに対する照明リストの照明と重複する少なくとも１つの照明が存在するか否かを判断し、重複する照明が存在する場合、前記照明リストのうち重複する照明を除いた残りの照明を制御してオフ（ＯＦＦ）にするビル管理サーバーと、を含むことを特徴とするビル内の照明自動制御システム。
【請求項２】
少なくとも１つのユーザＩＤを識別し、前記識別されたユーザＩＤに該当するユーザ情報を確認する出入り情報管理部と、
ビル制御部の信号によって多数の照明リストを確認し、少なくとも１つの照明を動作するために照明中間管理部を制御する照明メイン管理部と、
前記ユーザＩＤを確認し、前記確認されたユーザＩＤに対するビルの出入り有無を判断し、前記ユーザＩＤのユーザが前記ビルに出入りする場合、前記確認されたユーザＩＤに連関された照明リストを検索し、前記検索された照明リストに含まれる多数の照明を制御してオン（ＯＮ）にし、
前記出入り有無の判断結果、前記ユーザＩＤのユーザが前記ビルから退室する場合、前記確認されたユーザＩＤに連関された照明リストを検索し、検索された照明リストに含まれる照明のうち他のユーザＩＤに対する照明リストの照明と重複する少なくとも１つの照明が存在するか否かを判断し、重複する照明が存在する場合、前記照明リストのうち重複する照明を除いた残りの照明を制御してオフ（ＯＦＦ）にする前記ビル制御部と、
を含むことを特徴とするビル管理サーバー。
【請求項３】
前記出入り情報管理部は、
前記ユーザＩＤをＲＦカード認識、指紋認識、虹彩認識及びキーパッドを利用した番号認識のうち少なくとも１つの認識手段を介して認識することを特徴とする請求項２に記載のビル管理サーバー。
【請求項４】
前記ビル制御部は、
前記重複する照明が存在するか否かを判断した結果、重複する照明が存在しない場合、前記照明リストに含まれたすべての照明を制御してオフ（ＯＦＦ）にすることを特徴とする請求項２に記載のビル管理サーバー。
【請求項５】
前記ビル制御部は、
多数のユーザに対するそれぞれの事務室位置を確認し、前記ユーザが事務室に移動する位置に連関された多数の照明リストを照明回路ＤＢで検索し、前記検索された照明リストとユーザＩＤをマッチングして出入者ＤＢに登録することを特徴とする請求項２に記載のビル管理サーバー。
【請求項６】
前記ビル制御部は、
前記ユーザＩＤが遠隔地ビルのユーザに連関されたユーザＩＤであるか否かを確認し、前記ユーザＩＤが遠隔地ビルのユーザＩＤである場合、前記遠隔地ビルの照明を制御することを特徴とする請求項２に記載のビル管理サーバー。
【請求項７】
前記ビル制御部は、前記確認されたユーザＩＤを用いてビル内の在室人員に対する数値を確認して計算し、前記計算された数値を保存し表示することを特徴とする請求項２に記載のビル管理サーバー。
【請求項８】
前記ビル制御部は、
ユーザから照明リスト設定が要請されるか否かを判断し、前記照明リスト設定が要請される場合、多数の照明を選択するための設定画面を提示し、前記ユーザから入力される前記照明リストを選択し、前記照明リストに含まれる多数の照明数が既定の照明数を超過するか否かを確認し、前記照明リストの数が既定の個数を超過しない場合、前記照明リストの設定を完了することを特徴とする請求項２に記載のビル管理サーバー。
【請求項９】
前記ビル制御部は、
前記ユーザから入力される照明リストを確認し、前記照明リストの数が既定の個数を超過する場合、警告メッセージを提示することを特徴とする請求項８に記載のビル管理サーバー。
【請求項１０】
前記ビル制御部は、
各照明に対する消耗電力を計算し、計算された消耗電力に対する電力使用値を各階ごとにリアルタイムで区分して保存し表示することを特徴とする請求項２に記載のビル管理サーバー。
【請求項１１】
ビル管理サーバーが少なくとも１つのユーザＩＤを確認する段階と、
前記ビル管理サーバーが前記確認されたユーザＩＤに対するビルの出入り有無を判断する段階と、
前記判断結果、前記ユーザＩＤのユーザが前記ビルに出入りする場合、前記ビル管理サーバーが前記確認されたユーザＩＤに連関された照明リストを検索し、前記検索された照明リストに含まれる多数の照明を制御してオン（ＯＮ）にする段階と、
前記判断結果、前記ユーザＩＤのユーザが前記ビルから退室する場合、前記ビル管理サーバーが前記確認されたユーザＩＤに連関された照明リストを検索し、前記検索された照明リストに含まれる照明のうち他のユーザＩＤに対する照明リストの照明と重複する少なくとも１つの照明が存在するか否かを確認し、前記照明リストのうち重複する照明を除いた残りの照明を制御してオフ（ＯＦＦ）にする段階と、
を含むことを特徴とするビル内の照明自動制御方法。
【請求項１２】
前記確認する段階は、
前記ビル管理サーバーが前記ユーザＩＤを認識する段階と、
前記ビル管理サーバーが前記認識されたユーザＩＤに該当する事務室の位置及びユーザ名前に対するユーザ情報を確認する段階と、
を含むことを特徴とする請求項１１に記載のビル内の照明自動制御方法。
【請求項１３】
前記確認する段階は、
前記ユーザＩＤをＲＦカード認識、指紋認識、虹彩認識及びキーパッドを利用した番号認識のうち少なくとも１つの認識手段を介して認識することを特徴とする請求項１１に記載のビル内の照明自動制御方法。
【請求項１４】
前記オフ（ＯＦＦ）にする段階は、
前記重複する照明が存在するか否かを判断した結果、重複する照明が存在しない場合、前記ビル管理サーバーは、前記照明リストに含まれたすべての照明を制御してオフ（ＯＦＦ）にする段階、をさらに含むことを特徴とする請求項１１に記載のビル内の照明自動制御方法。
【請求項１５】
前記確認する段階前に、
前記ビル管理サーバーは、多数のユーザに対するそれぞれの事務室位置を確認する段階と、
前記ビル管理サーバーは、前記ユーザが事務室に移動する位置に連関された多数の照明リストを検索する段階と、
前記ビル管理サーバーが前記検索された照明リストとユーザのＩＤをマッチングして登録する段階と、
を含むことを特徴とする請求項１１に記載のビル内の照明自動制御方法。
【請求項１６】
前記確認する段階は、
前記ビル管理サーバーが前記ユーザＩＤが遠隔地ビルのユーザに連関されたユーザＩＤであるか否かを確認する段階と、
前記確認結果、前記ユーザＩＤが遠隔地ビルのユーザＩＤである場合、前記ビル管理サーバーが前記遠隔地ビルの照明を制御する段階と、
をさらに含むことを特徴とする請求項１１に記載のビル内の照明自動制御方法。
【請求項１７】
前記制御する段階は、
前記ビル管理サーバーが前記遠隔地ビルの照明を制御するために前記確認されたユーザＩＤに対するビルの出入り有無を判断する段階と、
前記判断結果、前記ユーザＩＤのユーザが前記ビルに出入りする場合、前記ビル管理サーバーが前記確認されたユーザＩＤに連関された照明リストを検索する段階と、
前記ビル管理サーバーが前記検索された照明リストに含まれる多数の照明を制御してオン（ＯＮ）にする段階と、
を含むことを特徴とする請求項１６に記載のビル内の照明自動制御方法。
【請求項１８】
前記判断する段階後に、
前記ビル管理サーバーが前記確認されたユーザＩＤを用いてビル内の在室人員に対する数値を確認して計算する段階と、
前記ビル管理サーバーが前記計算された数値を保存し表示する段階と、
をさらに含むことを特徴とする請求項１１に記載のビル内の照明自動制御方法。
【請求項１９】
前記オン（ＯＮ）にする段階後に、
前記ビル管理サーバーがユーザから照明リスト設定が要請されるか否かを判断する段階と、
前記判断結果、前記照明リスト設定が要請される場合、前記ビル管理サーバーが多数の照明を選択するための設定画面を提示する段階と、
前記ビル管理サーバーが前記ユーザから入力される前記照明リストを選択する段階と、
前記ビル管理サーバーが前記照明リストに含まれる多数の照明数が既定の照明数を超過するか否かを確認する段階と、
前記確認結果、前記照明リストの数が既定の個数を超過しない場合、前記ビル管理サーバーが前記照明リストの設定を完了する段階と、
をさらに含むことを特徴とする請求項１１に記載のビル内の照明自動制御方法。
【請求項２０】
前記既定の照明数を超過するか否かを確認する段階は、
前記確認結果、前記照明リストの数が既定の個数を超過する場合、前記ビル管理サーバーが警告メッセージを提示する段階、
をさらに含むことを特徴とする請求項１９に記載のビル内の照明自動制御方法。
【請求項２１】
前記オン（ＯＮ）にする段階後に、
前記ビル管理サーバーが、各照明に対する消耗電力を計算する段階と、
前記ビル管理サーバーが、計算された消耗電力に対する電力使用値を各階ごとにリアルタイム区分して保存し表示する段階と、
をさらに含むことを特徴とする請求項１１に記載のビル内の照明自動制御方法。
【発明の詳細な説明】
【技術分野】
【０００１】
本発明は、照明自動制御方法及びシステムに関し、特に、ユーザを識別し、ビルの出入りまたは退室有無を判断し、識別されたユーザに連関された照明リストを検索し、該当する多数の照明を制御するビル内の照明自動制御方法及びシステムに関する。
【背景技術】
【０００２】
最近、各種センサーによって周辺の明るさを感知し、室内照明灯を自動に制御する技術は、窓を通じて入る外光の明るさにもかかわらず、建物内の窓側照明のみを別途制御しないか、または照明制御機の故障または事故時に対処が不可能であり、手動スイッチだけによってグループあるいは全体天井照明灯を点滅させることによって、貴重な電気エネルギーを無駄使いすることはもちろん、照明灯の寿命を短縮するだけでなく、利用に不便を経験する場合がある。
【０００３】
このようなビル照明自動制御設備の設置及び運営方式は、各階に設置された照明回路グループ別に集合リレー（Ｒｅｌａｙ）による中央制御を用いて照明の点灯と消灯が行われ、中央自動制御システム（ＣＣＭＳ）によってスケジュール制御とパターン制御などを自動で制御している。また、各階の照明制御スイッチは、照明リレー盤に有線で連結され、各スイッチと事前にマッピングされた照明回路を現場で点灯及び消灯することができる構造となっている。
【発明の概要】
【発明が解決しようとする課題】
【０００４】
これにより、現在のビル内の照明は、ビル内のユーザ存在有無と関係なく、あらかじめ定められたスケジュールによって点灯及び消灯が行われ、空きの空間に点灯し、エネルギーの無駄使いの要因となり、ビル内のユーザが退室したとき、照明スイッチの数量が多いため、当該地域のスイッチ把握が容易でなく、適時に消灯せず、エネルギーの無駄使いが深刻に発生している。
【０００５】
このような従来の問題点を解決するために、本発明の目的は、照明自動制御システムを改善するために室内人員の在室及び不在有無を把握し、照明エネルギーの無駄使いを低減することができるビル内の照明自動制御方法及びシステムを提供することにある。
【０００６】
また、本発明の他の目的は、各階の照明スイッチで制御範囲を広範囲に設定し、ユーザがスイッチの位置を正確に認識することができない場合にも、効果的に照明を制御することができるビル内の照明自動制御方法及びシステムを提供することにある。
【０００７】
また、本発明のさらに他の目的は、各建物単位で設置されているソフトウェアを統合化し、各単位ビルごとに設置されたソフトウェア設置費用を節減し、維持補修活動の集中化によって人力の効率的活用を可能にすることができるビル内の照明自動制御方法及びシステムを提供することにある。
【０００８】
また、本発明のさらに他の目的は、ビル内のユーザの移動がある場合、ユーザがインターネットウェブページを通じて変更された位置に該当する照明リストを直接マッピングすることによって、管理者の負担を最小化することができ、照明リストに含まれる照明個数を制限し、照明が広範囲に点灯することを統制することができるビル内の照明自動制御方法及びシステムを提供することにある。
【課題を解決するための手段】
【０００９】
上記目的を達成するために、本発明の一態様によるビル内の照明自動制御システムは、出入り個所に設置され、出入りするユーザのＩＤを認識する１つ以上のＩＤ認識部と、ＩＤ認識部を介して認識されたユーザＩＤを確認し、確認されたユーザＩＤに対するビルの出入り有無を判断し、ユーザＩＤのユーザがビルに出入りする場合、確認されたユーザＩＤに連関された照明リストを検索し、検索された照明リストに含まれる多数の照明を制御してオン（ＯＮ）にし、出入り有無の判断結果、ユーザＩＤのユーザがビルから退室する場合、確認されたユーザＩＤに連関された照明リストを検索し、検索された照明リストに含まれる照明のうち他のユーザＩＤに対する照明リストの照明と重複する少なくとも１つの照明が存在するか否かを判断し、重複する照明が存在する場合、照明リストのうち重複する照明を除いた残りの照明を制御してオフ（ＯＦＦ）にするビル管理サーバーと、を含むことを特徴とする。
【００１０】
また、本発明の他の態様によるビル管理サーバーは、少なくとも１つのユーザＩＤを識別し、識別されたユーザＩＤに該当するユーザ情報を確認する出入り情報管理部と、ビル制御部の信号によって多数の照明リストを確認し、少なくとも１つの照明を動作するために照明中間管理部を制御する照明メイン管理部と、ユーザＩＤを確認し、確認されたユーザＩＤに対するビルの出入り有無を判断し、ユーザＩＤのユーザがビルに出入りする場合、確認されたユーザＩＤに連関された照明リストを検索し、検索された照明リストに含まれる多数の照明を制御してオン（ＯＮ）にし、出入り有無の判断結果、ユーザＩＤのユーザがビルから退室する場合、確認されたユーザＩＤに連関された照明リストを検索し、検索された照明リストに含まれる照明のうち他のユーザＩＤに対する照明リストの照明と重複する少なくとも１つの照明が存在するか否かを判断し、重複する照明が存在する場合、照明リストのうち重複する照明を除いた残りの照明を制御してオフ（ＯＦＦ）にするビル制御部と、を含むことを特徴とする。
【００１１】
また、本発明によるビル管理サーバーにおいて、出入り情報管理部は、ユーザＩＤをＲＦカード認識、指紋認識、虹彩認識及びキーパッドを利用した番号認識のうち少なくとも１つの認識手段を介して認識することを特徴とする。
【００１２】
また、本発明によるビル管理サーバーにおいて、ビル制御部は、重複する照明が存在するか否かを判断した結果、重複する照明が存在しない場合、照明リストに含まれたすべての照明を制御してオフ（ＯＦＦ）にすることを特徴とする。
【００１３】
また、本発明によるビル管理サーバーにおいて、ビル制御部は、多数のユーザに対するそれぞれの事務室位置を確認し、ユーザが事務室に移動する位置に連関された多数の照明リストを照明回路ＤＢで検索し、検索された照明リストとユーザＩＤをマッチングして出入者ＤＢに登録することを特徴とする。
【００１４】
また、本発明によるビル管理サーバーにおいて、ビル制御部は、ユーザＩＤが遠隔地ビルのユーザに連関されたユーザＩＤであるか否かを確認し、ユーザＩＤが遠隔地ビルのユーザＩＤである場合、遠隔地ビルの照明を制御することを特徴とする。
【００１５】
また、本発明によるビル管理サーバーにおいて、ビル制御部は、確認されたユーザＩＤを用いてビル内の在室人員に対する数値を確認して計算し、計算された数値を保存し表示することを特徴とする。
【００１６】
また、本発明によるビル管理サーバーにおいて、ビル制御部は、ユーザから照明リスト設定が要請されるか否かを判断し、照明リスト設定が要請される場合、多数の照明を選択するための設定画面を提示し、ユーザから入力される照明リストを選択し、照明リストに含まれる多数の照明数が既定の照明数を超過するか否かを確認し、照明リストの数が既定の個数を超過しない場合、照明リストの設定を完了することを特徴とする。
【００１７】
また、本発明によるビル管理サーバーにおいて、ビル制御部は、ユーザから入力される照明リストを確認し、照明リストの数が既定の個数を超過する場合、警告メッセージを提示することを特徴とする。
【００１８】
また、本発明によるビル管理サーバーにおいて、ビル制御部は、各照明に対する消耗電力を計算し、計算された消耗電力に対する電力使用値を各階ごとにリアルタイムで区分して保存し表示することを特徴とする。
【００１９】
また、本発明のさらに他の態様によるビル内の照明自動制御方法は、ビル管理サーバーが少なくとも１つのユーザＩＤを確認する段階と、ビル管理サーバーが確認されたユーザＩＤに対するビルの出入り有無を判断する段階と、判断結果、ユーザＩＤのユーザがビルに出入りする場合、ビル管理サーバーが確認されたユーザＩＤに連関された照明リストを検索し、検索された照明リストに含まれる多数の照明を制御してオン（ＯＮ）にする段階と、判断結果、ユーザＩＤのユーザがビルから退室する場合、ビル管理サーバーが確認されたユーザＩＤに連関された照明リストを検索し、検索された照明リストに含まれる照明のうち他のユーザＩＤに対する照明リストの照明と重複する少なくとも１つの照明が存在するか否かを確認し、照明リストのうち重複する照明を除いた残りの照明を制御してオフ（ＯＦＦ）にする段階と、を含むことを特徴とする。
【００２０】
また、本発明によるビル内の照明自動制御方法において、確認する段階は、ビル管理サーバーがユーザＩＤを認識する段階と、ビル管理サーバーが認識されたユーザＩＤに該当する事務室の位置及びユーザ名前に対するユーザ情報を確認する段階と、を含むことを特徴とする。
【００２１】
また、本発明によるビル内の照明自動制御方法において、確認する段階は、ユーザＩＤをＲＦカード認識、指紋認識、虹彩認識及びキーパッドを利用した番号認識のうち少なくとも１つの認識手段を介して認識することを特徴とする。
【００２２】
また、本発明によるビル内の照明自動制御方法において、オフ（ＯＦＦ）にする段階は、重複する照明が存在するか否かを判断した結果、重複する照明が存在しない場合、ビル管理サーバーは、照明リストに含まれたすべての照明を制御してオフ（ＯＦＦ）にする段階、をさらに含むことを特徴とする。
【００２３】
また、本発明によるビル内の照明自動制御方法において、確認する段階前に、ビル管理サーバーは、多数のユーザに対するそれぞれの事務室位置を確認する段階と、ビル管理サーバーは、ユーザが事務室に移動する位置に連関された多数の照明リストを検索する段階と、ビル管理サーバーが検索された照明リストとユーザのＩＤをマッチングして登録する段階と、を含むことを特徴とする。
【００２４】
また、本発明によるビル内の照明自動制御方法において、確認する段階は、ビル管理サーバーがユーザＩＤが遠隔地ビルのユーザに連関されたユーザＩＤであるか否かを確認する段階と、確認結果、ユーザＩＤが遠隔地ビルのユーザＩＤである場合、ビル管理サーバーが遠隔地ビルの照明を制御する段階と、をさらに含むことを特徴とする。
【００２５】
また、本発明によるビル内の照明自動制御方法において、制御する段階は、ビル管理サーバーが遠隔地ビルの照明を制御するために確認されたユーザＩＤに対するビルの出入り有無を判断する段階と、判断結果、ユーザＩＤのユーザがビルに出入りする場合、ビル管理サーバーが確認されたユーザＩＤに連関された照明リストを検索する段階と、ビル管理サーバーが検索された照明リストに含まれる多数の照明を制御してオン（ＯＮ）にする段階と、を含むことを特徴とする。
【００２６】
また、本発明によるビル内の照明自動制御方法において、判断する段階後に、ビル管理サーバーが確認されたユーザＩＤを用いてビル内の在室人員に対する数値を確認して計算する段階と、ビル管理サーバーが計算された数値を保存し表示する段階と、をさらに含むことを特徴とする。
【００２７】
また、本発明によるビル内の照明自動制御方法において、オン（ＯＮ）にする段階後に、ビル管理サーバーがユーザから照明リスト設定が要請されるか否かを判断する段階と、判断結果、照明リスト設定が要請される場合、ビル管理サーバーが多数の照明を選択するための設定画面を提示する段階と、ビル管理サーバーがユーザから入力される照明リストを選択する段階と、ビル管理サーバーが照明リストに含まれる多数の照明数が既定の照明数を超過するか否かを確認する段階と、確認結果、照明リストの数が既定の個数を超過しない場合、ビル管理サーバーが照明リストの設定を完了する段階と、をさらに含むことを特徴とする。
【００２８】
また、本発明によるビル内の照明自動制御方法において、既定の照明数を超過するか否かを確認する段階は、確認結果、照明リストの数が既定の個数を超過する場合、ビル管理サーバーが警告メッセージを提示する段階をさらに含むことを特徴とする。
【００２９】
また、本発明によるビル内の照明自動制御方法において、オン（ＯＮ）にする段階後に、ビル管理サーバーが、各照明に対する消耗電力を計算する段階と、ビル管理サーバーが、計算された消耗電力に対する電力使用値を各階ごとにリアルタイム区分して保存し表示する段階と、をさらに含むことを特徴とする。
【発明の効果】
【００３０】
本発明は、室内在室人員有無と関係なく点灯及び消灯することによって、空きの空間の照明点灯に起因するエネルギーの無駄使いを低減することができると共に、照明ランプの交替費用や照明エネルギーによる費用を低減することができる。
【００３１】
また、ユーザがスイッチを用いて点灯及び消灯をしなければならない不便さを減少させることができ、ビル内の自分の出入り情報によって自動で点灯及び消灯し、ユーザ便宜を向上させることができる。
【００３２】
また、付加的にビル内の在室人員に対する数値をリアルタイムで把握することができ、リアルタイムで各階別に、各区域別に照明エネルギー使用量情報の提供が可能であり、使用程度による費用分担構造の提供が可能であり、入居者の自発的節減同期を誘発することができる。
【図面の簡単な説明】
【００３３】
【図１】図１は、本発明の実施例によるビル内の照明自動制御システムを示す図である。
【図２】図２は、本発明の実施例によるビル管理サーバーの構成を示すブロック図である。
【図３】図３は、本発明の実施例によるビル内の照明自動制御方法を説明するためのデータ流れ図である。
【図４】図４は、本発明の実施例によるビル内の照明自動制御方法を説明するための流れ図である。
【図５】図５は、本発明の実施例によるビル内の照明自動制御方法を説明するための流れ図である。
【図６】図６は、本発明の実施例によるユーザ移動時照明自動制御方法を説明するための流れ図である。
【図７】図７は、本発明の実施例による出入者情報を示す図である。
【図８】図８は、本発明の実施例による照明回路を示す図である。
【発明を実施するための形態】
【００３４】
以下、本発明の好ましい実施例を添付の図面を参照して詳しく説明する。但し、下記の説明及び添付の図面において本発明の要旨を不明瞭にすることができる公知機能または構成に対する詳細な説明は省略する。また、図面全般において同一の構成要素は、できるだけ同一の参照符号で示していることに留意しなければならない。
【００３５】
以下で説明する本明細書及び請求範囲に使用された用語や単語は、通常的や辞書的な意味に限定して解釈してはならない。また、発明者は、自分の発明を最も最善の方法で説明するために用語の概念として適切に定義することができるという原則に即して本発明の技術的思想に合致する意味と概念として解釈しなければならない。したがって、本明細書に記載された実施例と図面に示された構成は、本発明の最も好ましい一実施例に過ぎないもので、本発明の技術的思想をすべて代弁するものではないので、本出願時点においてこれらを代替することができる多様な均等物と変形例があり得ることを理解しなければならない。
【００３６】
図１は、本発明の実施例によるビル内照明自動制御システムを示す図である。
【００３７】
図１を参照すれば、本発明の実施例によるビル内の照明自動制御システム（以下、照明自動制御システム）１００は、ＩＤ認識対象１０、ＩＤ認識部２０、ビル管理サーバー３０、照明中間管理部５０、ユーザ照明設定部６０及び通信網４０で構成される。
【００３８】
通信網４０は、照明自動制御システム１００においてＩＤ認識部２０、照明中間管理部５０、ユーザ照明設定部６０及びビル管理サーバー３０の間のデータ送受信のための通路を提供する機能をする。ここで、通信網４０は、ＩＤ認識部２０、照明中間管理部５０、ユーザ照明設定部６０及びビル管理サーバー３０の間のデータ伝送及び情報交換のための一連のデータ送受信動作を行う。このような機能を行う通信網４０は、インターネットプロトコルＩＰを介して大容量データの送受信サービス及び断絶される現象がないデータサービスを提供するＩＰ網であって、ＩＰを基盤にして互いに異なる網を統合したＩＰ網構造であるＡｌｌ  ＩＰ網であることができる。また、通信網４０は、移動通信網、Ｗｉｂｒｏ（Ｗｉｒｅｌｅｓｓ  Ｂｒｏａｄｂａｎｄ）網、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）網、衛星通信網及びワイファイ（Ｗｉ−Ｆｉ）網を含む無線ＬＡＮのうち１つであることができる。また、通信網４０は、有線通信網を介してケーブルで連結され、ＩＤ認識部２０、照明中間管理部５０及びビル管理サーバー３０の間のデータ送受信を提供する。
【００３９】
ＩＤ認識対象１０は、ユーザを識別するための手段であって、ユーザが所持する物体であるか、またはユーザの身体部位のうち１つになることができる。すなわち、ＩＤ認識対象１０は、ＲＦカード、指紋、虹彩及びキーパッドを利用した番号などのようにユーザを区別することができる物体、身体部位または情報になることができる。また、本発明の実施例によるＩＤ認識対象１０は、提示されたユーザを区別することができる物体または身体部位に限定されるのではなく、多様な他の情報をすべて含むことができる。
【００４０】
ＩＤ認識部２０は、それぞれの出入り場所に多数個が設置され、出入りするユーザのＩＤを認識する。この際、ＩＤ認識部２０は、ＩＤ認識対象１０を介してユーザＩＤを認識するための機能を行う。ここで、ＩＤ認識部２０は、ユーザＩＤをＲＦカード認識、指紋認識、虹彩認識及びキーパッドを利用した番号認識などのような認識手段を介して認識することができる。そして、ＩＤ認識部２０は、認識されたユーザＩＤに対するデータをビル管理サーバー３０に伝送する。この際、ＩＤ認識部２０は、それぞれのビルごとに１つあるいは多数個が設置されることができ、認識されるユーザＩＤをビル管理サーバー３０に伝送する。
【００４１】
ビル管理サーバー３０は、ビル内の照明、電子装置及びネットワークなどのようなすべての施設に対する管理を行う。特に、本発明によるビル管理サーバー３０は、ＩＤ認識部２０を介して認識されるユーザＩＤに該当するユーザ情報を確認し、確認されたユーザＩＤに対するビルの出入り有無を判断し、ユーザＩＤのユーザがビルに出入りする場合、確認されたユーザＩＤに連関された照明リストを検索し、検索された照明リストに含まれる多数の照明を制御してオン（ＯＮ）にする機能を行う。
【００４２】
ビル管理サーバー３０は、確認されたユーザＩＤに対するビルの出入り有無の判断結果、ユーザＩＤのユーザがビルから退室する場合、確認されたユーザＩＤに連関された照明リストを検索し、検索された照明リストのうち他のユーザＩＤと重複する少なくとも１つの照明が存在するか否かを判断し、重複する照明が存在する場合、照明リストのうち重複する照明を除いた残りの照明を制御してオフ（ＯＦＦ）にする機能を行う。
【００４３】
ビル管理サーバー３０は、検索された照明リストのうち他のユーザＩＤと重複する照明が存在しない場合、照明リストに含まれたすべての照明を制御してオフ（ＯＦＦ）にする機能を行う。
【００４４】
ビル管理サーバー３０は、多数のユーザに対するそれぞれの事務室位置を確認し、ユーザが事務室に移動する位置に連関された多数の照明リストを照明回路ＤＢで検索し、検索された照明リストとユーザＩＤをマッチングして出入者ＤＢに登録する。
【００４５】
ビル管理サーバー３０は、遠隔地ビルの照明を制御することができる。すなわち、ビル管理サーバー３０は、自体的に照明自動制御システムを具備しないビル内に照明を制御するために遠隔地ビルを制御することができる。これは、それぞれのビルに設置されている照明中間管理部５０を介して照明が制御されることができる。すなわち、ビル管理サーバー３０は、ユーザＩＤが遠隔地ビルのユーザに連関されたユーザＩＤであるか否かを確認し、ユーザＩＤが遠隔地ビルのユーザＩＤである場合、遠隔地ビルの照明を制御するために遠隔地ビルの照明中間管理部５０とデータ通信を行うことができる。この際、ビル管理サーバー３０は、遠隔地ビルの照明を制御するために確認されたユーザＩＤに対するビルの出入り有無を判断し、ユーザＩＤのユーザがビルに出入りする場合、確認されたユーザＩＤに連関された照明リストを検索し、検索された照明リストに含まれる多数の照明を制御してオン（ＯＮ）にする。
【００４６】
ビル管理サーバー３０は、ビル内の現在人員把握のためにユーザＩＤを基盤にしてビル内の在室人員に対する数値を計算し、計算された数値を保存することができる。ここで、ビル管理サーバー３０は、ビル内部の空調システムと自動に連動してビル内の在室人員を把握することができる。このように把握された在室人員数は、火事または犯罪のような状況が発生した場合、ビル内の人員把握に利用される。
【００４７】
ビル管理サーバー３０は、ユーザから照明リスト設定が要請されるか否かを判断し、照明リスト設定が要請される場合、多数の照明を選択するための設定画面を提示し、ユーザから入力される照明リストを選択し、照明リストに含まれる多数の照明数が既定の照明数を超過するか否かを確認し、照明リストの数が既定の個数を超過しない場合、照明リストの設定を完了する。
【００４８】
ビル管理サーバー３０は、ユーザから入力される照明リストを確認し、照明リストの数が既定の個数を超過する場合、警告メッセージを提示する。
【００４９】
ビル管理サーバー３０は、各照明に対する消耗電力を計算し、計算された消耗電力に対する電力使用値を各階ごとにリアルタイムで区分して保存し表示する。
【００５０】
照明中間管理部５０は、それぞれのビルに設けられ、各ビルの照明制御のためのスイッチング機能をする。ここで、照明中間管理部５０は、ビル管理サーバー３０から受信される照明制御信号によって照明をオン（ＯＮ）にするかまたはオフ（ＯＦＦ）にする機能を行う。
【００５１】
ユーザ照明設定部６０は、ユーザの要請によって照明リストを設定するために設定画面をビル管理サーバー３０に提供する機能をする。ここで、ユーザ照明設定部６０は、ウェブサーバーと連結され、照明リスト設定のための設定画面をユーザ照明設定インターフェース部３７に提供することができる。
【００５２】
図２は、本発明の実施例によるビル管理サーバーの構成を示すブロック図である。
【００５３】
図２を参照すれば、本発明の実施例によるビル管理サーバー３０は、ビル制御部３１、出入り情報管理部３２、出入者情報収集部３３、出入者ＤＢ３４、照明メイン管理部３５、ユーザ照明設定インターフェース部３７及び照明回路ＤＢ３６を備えて構成される。
【００５４】
出入り情報管理部３２は、ユーザのビル内の出入りまたは退室に対する全般的な管理を行う。ここで、出入り情報管理部３２は、出入者情報収集部３３から伝達されるユーザＩＤを確認し、確認されたユーザＩＤに該当するユーザ情報を出入者ＤＢ３４で検索して抽出する。この際、出入者ＤＢ３４は、ビル内の入居者に対する事務室位置に関するデータが保存される。また、出入者情報収集部３３は、ＩＤ認識部２０を介して認識されたユーザＩＤに対する情報を収集して出入り情報管理部３２に伝達する機能を行う。ここで、出入者情報収集部３３は、新規登録されるユーザに対するＩＤ、事務室位置などのようなデータを収集し、出入り情報管理部３２に伝達することができる。
【００５５】
照明メイン管理部３５は、ビル制御部３１の要請によってビル内のすべての照明を管理する機能をする。ここで、照明メイン管理部３５は、ビル内各階の照明に対する位置が保存されている照明回路ＤＢ３６を検索し、照明中間管理部５０に照明制御のためのデータを伝送することができる。すなわち、照明中間管理部５０は、照明メイン管理部３５の要請信号によって多数の照明を制御する機能を行う。ここで、照明中間管理部５０は、多数の照明のうちＩＤ認識部２０を介して認識されたユーザＩＤに対する事務室の位置に連関された照明を制御するためのスイッチング機能を行うことができる。
【００５６】
ビル制御部３１は、出入り情報管理部３２を介して確認されるユーザＩＤのユーザ情報を確認し、確認されたユーザ情報に対するビルの出入り有無を判断し、ユーザがビルに出入りする場合、確認されたユーザＩＤに連関された照明リストを検索し、検索された照明リストに含まれる多数の照明に対する制御を照明メイン管理部３５に指示する。
【００５７】
ビル制御部３１は、確認されたユーザＩＤに対するビルの出入り有無の判断結果、ユーザＩＤのユーザがビルから退室する場合、確認されたユーザＩＤに連関された照明リストを検索し、検索された照明リストのうち他のユーザＩＤと重複する少なくとも１つの照明が存在するか否かを判断し、重複する照明が存在する場合、照明リストのうち重複する照明を除いた残りの照明に対する制御を照明メイン管理部３５に指示する。
【００５８】
ビル制御部３１は、検索された照明リストのうち他のユーザＩＤと重複する照明が存在しない場合、照明リストに含まれたすべての照明に対する制御を指示する。
【００５９】
ビル制御部３１は、多数のユーザに対するそれぞれの事務室位置を確認し、ユーザが事務室に移動する位置に連関された多数の照明リストを照明回路ＤＢ３６で検索し、検索された照明リストとユーザＩＤをマッチングして出入者ＤＢ３４に登録するように制御する。
【００６０】
また、本発明による実施例においてビル管理サーバー３０は、遠隔地ビルの照明を制御することができる。すなわち、ビル制御部３１は、自体的に照明自動制御システムを具備しないビル内に照明を制御するために遠隔地ビルを制御する。このために、ビル管理サーバー３０は、遠隔地ビルのＩＤ認識部２０または照明中間管理部５０と有線または無線通信手段を介して連結されなければならない。
【００６１】
遠隔地ビルを制御するためのビル制御部３１は、遠隔地ビルのＩＤ認識部２０を介して遠隔地ビル内の入居者に対する出入りまたは退室に対する全般的なデータを受信する。ここで、ＩＤ認識部２０は、遠隔地ビルの出入者に対する情報を認識し、認識されたＩＤに該当するデータをビル管理サーバー３０に伝送する。
【００６２】
ビル制御部３１は、遠隔地ビル内のすべての照明を管理するために遠隔地ビルの照明中間管理部５０を制御する。
【００６３】
ビル制御部３１は、遠隔地ビルの照明中間管理部５０に多数の照明を制御するための信号を伝送する。ここで、照明中間管理部５０は、多数の照明のうちＩＤ認識部２０を介して認識されたユーザＩＤに連関された照明をオン（ＯＮ）またはオフ（ＯＦＦ）にするためのビル管理サーバー３０の制御要請によって照明のスイッチング機能を行うことができる。
【００６４】
ビル制御部３１は、ＩＤ認識部２０を介して受信されるユーザＩＤ認識信号によってユーザ情報を確認し、確認されたユーザＩＤに対するビルの出入り有無を判断し、ユーザＩＤのユーザがビルに出入りする場合、確認されたユーザＩＤに連関された照明リストを検索し、検索された照明リストに含まれる多数の照明を制御してオン（ＯＮ）にするための信号を照明中間管理部５０に指示する。
【００６５】
ビル制御部３１は、確認されたユーザＩＤに対するビルの出入り有無の判断結果、ユーザＩＤのユーザがビルから退室する場合、確認されたユーザＩＤに連関された照明リストを検索し、検索された照明リストのうち他のユーザＩＤと重複する少なくとも１つの照明が存在するか否かを判断し、重複する照明が存在する場合、照明リストのうち重複する照明を除いた残りの照明を制御してオフ（ＯＦＦ）にするための信号を照明中間管理部５０に指示する。
【００６６】
ビル制御部３１は、検索された照明リストのうち他のユーザＩＤと重複する照明が存在しない場合、照明リストに含まれたすべての照明を制御してオフ（ＯＦＦ）にするための信号を照明中間管理部５０に指示する。
【００６７】
ユーザ照明設定インターフェース部３７は、ユーザの要請によって照明リストを設定するために、ユーザ照明設定部６０から照明リスト設定のための設定画面を提供されて表示することができる。この際、ユーザ照明設定インターフェース部３７は、ビル制御部３１の制御によって機能を行うことができる。
【００６８】
このように、本発明の実施例によるビル管理サーバー３０は、多数のビルのユーザＩＤ、ユーザＩＤに連関された照明リスト、各ビルに対する照明回路などのようなデータを保存し、照明を自動に制御することができる。
【００６９】
また、本発明によるビル制御部３１は、ビル内の現在人員を把握するためにＩＤ認識部２０を介して確認されたユーザＩＤを基盤にしてビル内の在室人員に対する数値を計算し、計算された数値を保存することができる。ここで、ビル制御部３１は、ビル内部の空調システムと自動に連動してビル内の在室人員を把握することができる。このように把握された在室人員数は、火事または犯罪のような状況が発生した場合、ビル内の人員把握に利用される。
【００７０】
また、本発明によるビル制御部３１は、ユーザから照明リスト設定が要請されるか否かを判断し、照明リスト設定が要請される場合、多数の照明を選択するための設定画面を提示し、ユーザから入力される照明リストを選択し、照明リストに含まれる多数の照明数が既定の照明数を超過するか否かを確認し、照明リストの数が既定の個数を超過しない場合、照明リストの設定を完了する。一方、ビル制御部３１は、ユーザから入力される照明リストを確認し、照明リストの数が既定の個数を超過する場合、警告メッセージを提示する。
【００７１】
ビル制御部３１は、各照明に対する消耗電力を計算し、計算された消耗電力に対する電力使用値を各階ごとにリアルタイムで区分して保存し表示する。
【００７２】
図３は、本発明の実施例によるビル内の照明自動制御方法を説明するためのデータ流れ図である。
【００７３】
図３を参照すれば、本発明の実施例によるビル内の照明自動制御方法のためのデータ流れは、まず、Ｓ１１段階で、ＩＤ認識部２０が ユーザＩＤを認識する。ここで、ＩＤ認識部２０は、ユーザＩＤをＲＦカード認識、指紋認識、虹彩認識及びキーパッドを利用した番号認識などのような認識手段を介して認識することができる。
【００７４】
ユーザＩＤが認識されれば、ＩＤ認識部２０は、Ｓ１３段階で、認識されたユーザＩＤに対する情報を出入者情報収集部３３に伝送する。そして、出入者情報収集部３３は、Ｓ１５段階で、受信されたユーザＩＤに対する情報を出入者情報管理部３２に伝送する。
【００７５】
ユーザＩＤに対する情報が受信されれば、出入者情報管理部３２は、Ｓ１７段階で、ユーザＩＤを確認する。ここで、出入者情報管理部３２は、出入者ＤＢ３４を検索してユーザＩＤを確認し、検索されたデータに連関された照明リストを確認することができる。
【００７６】
出入者情報管理部３２は、Ｓ１９段階で、ユーザＩＤに連関された照明リストをビル制御部３１に伝送し、制御を要請する。その後、ビル制御部３１は、Ｓ２１段階で、受信されたユーザＩＤに連関された照明リストを照明管理部３５に伝達する。
【００７７】
照明メイン管理部３５は、受信された照明リストを確認する。この際、照明メイン管理部３５は、照明回路ＤＢ３６を照会し、ユーザＩＤに連関された照明の位置を把握することができる。そして、照明メイン管理部３５は、Ｓ２５段階で、確認された照明リストに含まれる照明を制御するために照明中間管理部５０に照明制御を要請する。
【００７８】
照明制御要請によって、照明中間管理部５０は、Ｓ２７段階で、該当する照明を制御してオン（ＯＮ）またはオフ（ＯＦＦ）動作を行う。
【００７９】
また、本発明の実施例によるビル管理サーバー３０は、遠隔地ビルの照明を制御することができる。すなわち、ビル管理サーバー３０は、自体的に照明自動制御システムを具備しないビル内に照明を制御するために遠隔地ビルを制御することができる。すなわち、ビル管理サーバー３０は、ユーザＩＤが遠隔地ビルのユーザに連関されたユーザＩＤであるか否かを確認し、ユーザＩＤが遠隔地ビルのユーザＩＤである場合、遠隔地ビルの照明を制御することができる。この際、ビル管理サーバー３０は、遠隔地ビルの照明を制御するために確認されたユーザＩＤに対するビルの出入り有無を判断し、ユーザＩＤのユーザがビルに出入りする場合、確認されたユーザＩＤに連関された照明リストを検索し、検索された照明リストに含まれるすべての照明を制御するための信号を照明中間管理部５０に伝送し、照明をオン（ＯＮ）にする。一方、ビル管理サーバー３０は、遠隔地ビルの照明を制御するために確認されたユーザＩＤに対するビルの出入り有無を判断し、ユーザＩＤのユーザがビルから退室する場合、確認されたユーザＩＤに連関された照明リストを検索し、検索された照明リストに含まれる照明のうち他のユーザと連関されてオン（ＯＮ）とされた照明があるか否かを判断し、判断結果、連関された照明が存在する場合、連関された照明を除いた残りの照明を制御するための信号を照明中間管理部５０に伝送し、照明をオフ（ＯＦＦ）にする。
【００８０】
また、本発明によるビル管理サーバー３０は、ビル内の現在人員を把握するためにユーザＩＤを基盤にしてビル内の在室人員に対する数値を計算し、計算された数値を保存することができる。ここで、ビル管理サーバー３０は、ビル内部の空調システムと自動に連動してビル内の在室人員を把握することができる。このように把握された在室人員数は、火事または犯罪のような状況が発生した場合、ビル内の人員把握に利用される。
【００８１】
これにより、室内在室人員有無と関係なく点灯及び消灯することによって、空きの空間の照明点灯によるエネルギーの無駄使いを低減することができ、照明ランプの交替費用や照明エネルギーによる費用を低減することができる。また、ユーザがスイッチを用いて点灯及び消灯をしなければならないシステムの不便さを低減することができ、ビル内の自分の出入り情報によって自動に点灯及び消灯し、ユーザ便宜を向上させることができる。また、付加的にビル内の在室人員をリアルタイムで把握することができ、リアルタイムで各階別に、各区域別に照明エネルギー使用量情報の提供が可能であり、使用程度による費用分担構造の提供が可能であり、入居者の自発的節減同期を誘発することができる。
【００８２】
図４及び図５は、本発明の実施例によるビル内の照明自動制御方法を説明するための流れ図である。
【００８３】
図４及び図５を参照すれば、本発明の実施例によるビル内の照明自動制御方法において、ビル管理サーバー３０は、Ｓ３１段階で、待機モードを行う。ここで、ビル管理サーバー３０は、待機モード以前に、ビル内に在室する多数のユーザに対するそれぞれの事務室位置を確認し、ユーザが事務室に移動する位置に連関された多数の照明リストを検索し、検索された照明リストとユーザのＩＤをマッチングして登録することができる。
【００８４】
待機モード中に、Ｓ３３段階で、ビル管理サーバー３０が特定のユーザＩＤが認識されるか否かを判断する。この際、Ｓ３５段階で、ビル管理サーバー３０は、ユーザＩＤを認識する過程で認識されたユーザＩＤに該当する事務室の位置及びユーザ名前に対するユーザ情報を確認することができる。すなわち、ビル管理サーバー１０が認識されたユーザＩＤに該当する事務室の位置及びユーザ名前に対するユーザ情報を確認する。ここで、ビル管理サーバー３０は、ＲＦカード認識、指紋認識、虹彩認識及びキーパッドを利用した番号認識などのような認識手段を介してユーザＩＤを認識する。
【００８５】
Ｓ３７段階で、ビル管理サーバー３０は、確認されたユーザＩＤに対するビルの出入り有無を判断する。判断結果、ユーザＩＤのユーザがビルに出入りする場合、Ｓ３９段階で、ビル管理サーバー３０は、確認されたユーザＩＤに連関された照明リストを検索する。そして、ビル管理サーバー３０は、Ｓ４１段階で、検索された照明リストに含まれる多数の照明を制御するための信号を照明中間管理部５０に伝送し、照明をオン（ＯＮ）にすることができる。
【００８６】
一方、確認されたユーザＩＤに対するビルの出入り有無の判断結果、ユーザＩＤのユーザがビルから退室する場合、 Ｓ５１段階で、ビル管理サーバー３０が確認されたユーザＩＤに連関された照明リストを検索する。そして、Ｓ５３段階で、ビル管理サーバー３０が 検索された照明リストのうち他のユーザＩＤと重複する少なくとも１つの照明が存在するか否かを判断する。この際、判断結果、重複する照明が存在する場合、ビル管理サーバー３０は、Ｓ５５段階で、照明リストのうち重複する照明を除いた残りの照明を制御するための信号を照明中間管理部５０に伝送し、照明をオフ（ＯＦＦ）にすることができる。一方、重複する照明が存在するか否かを判断した結果、重複する照明が存在しない場合、ビル管理サーバー３０は、Ｓ５７段階で、照明リストに含まれたすべての照明を制御するための信号を照明中間管理部５０に伝送し、照明をオフ（ＯＦＦ）にする。
【００８７】
図６は、本発明の実施例によるユーザ移動時の照明自動制御方法を説明するための流れ図である。
【００８８】
図６を参照すれば、本発明の実施例によるユーザ移動時の照明自動制御方法は、まず、ビル管理サーバー３０がユーザＩＤに連関された照明をオン（ＯＮ）にしている中に、Ｓ６１段階で、ユーザから照明リスト設定が要請されるか否かを判断する。ここで、ユーザは、位置移動による照明リストを再設定するために直接ウェブサーバーを介してビル管理サーバー３０とデータ送受信のための通信を行うことができる。すなわち、ビル内の多数の在室者が同時あるいは順次に移動する場合、これに対する照明リスト管理をビル管理サーバー３０で行う場合、業務の効率性が低下し、過負荷がかかることができるので、ユーザが移動するとき、照明リストを直接再設定することが好ましい。
【００８９】
照明リスト設定が要請される場合、ビル管理サーバー３０は、Ｓ６３段階で、多数の照明を選択するための設定画面を提示する。そして、ビル管理サーバー３０は、Ｓ６５段階で、照明リスト選択のための入力信号を感知する。その後、ビル管理サーバー３０は、ユーザから入力された照明リストを確認することができる。
【００９０】
ビル管理サーバー３０は、Ｓ６７段階で、照明リストに含まれる多数の照明数が既定の照明数を超過するか否かを確認する。ここで、照明リストの数が既定の個数を超過しない場合、ビル管理サーバー３０は、Ｓ６９段階で、照明リストの設定を完了する。そして、ビル管理サーバー３０は、設定された照明リストに該当する多数の照明をオン（ＯＮ）にすることができる。すなわち、ビル管理サーバー３０は、ユーザの移動による照明リストをユーザが直接設定するので、照明リスト再設定による権限を制限する。これにより、ビル管理サーバー３０は、ビル内の広範囲に点灯する照明に対する統制を行うことができる。
【００９１】
一方、照明リストの数が既定の個数を超過する場合、ビル管理サーバー３０は、Ｓ７１段階で、警告メッセージを提示し、照明リスト再設定のための画面を提示する。この際、警告メッセージは、照明リストに設定された照明の数が既定の個数を超過したという内容の文具が表示されることができる。
【００９２】
図７は、本発明の実施例による出入者情報を示す図である。
【００９３】
図７を参照すれば、本発明の実施例によるビル管理サーバー３０の出入者ＤＢ３４に保存されるユーザＩＤは、ＩＤ、事務室位置、照明リスト、出入り時間及び退室時間に該当するデータが保存される。それぞれのユーザＩＤは、ビル内の出入りまたは退室時に随時にアップデートされることができる。例えば、照明リストは、ユーザがビルの玄関から事務室まで移動するのに必要な照明に対するデータであり、ビル内の出入り時または退室時に照明を制御するためのデータになる。この際、出入者ＤＢ３４は、それぞれのビルの入居者に対するユーザ情報を保存されることができる。
【００９４】
図８は、本発明の実施例による照明回路を示す図である。
【００９５】
図８を参照すれば、本発明の実施例によるビル管理サーバー３０の照明回路ＤＢ３６に保存される照明の位置は、ビル内の各階の照明リストに関するデータを含む。例えば、ユーザの事務室の位置が５階のＤ区域７０１である場合、ビル管理サーバー３０は、認識されたユーザＩＤの確認結果、ユーザがビルに出入りすれば、１−Ｇ、１−Ｉ、５−Ｉ、５−Ｊ、５−Ｋ、５−Ｄに対する照明がオン（ＯＮ）とされるように制御するための信号を照明中間管理部５０に伝送し、照明をオン（ＯＮ）にする。
【００９６】
また、ビル管理サーバー３０は、認識されたユーザＩＤの確認結果、ユーザがビルから退室すれば、１−Ｇ、１−Ｉ、５−Ｉ、５−Ｊ、５−Ｋ、５−Ｄに対する照明がオン（ＯＮ）とされるように制御する。この際、ビル管理サーバー３０は、ユーザの照明リストに含まれる照明のうち他のユーザの照明リストに連関された照明が含まれているか否かを判断し、判断結果、連関された照明がない場合には、照明リストに含まれるすべての照明を制御するための信号を照明中間管理部５０に伝送し、照明をオフ（ＯＦＦ）にする。
【００９７】
一方、ビル管理サーバー３０は、ユーザの照明リストに含まれる照明のうち他のユーザの照明リストに連関された照明が含まれている場合には、他のユーザに影響を及ぼさない残りの照明のみを制御するための信号を照明中間管理部５０に伝送し、該当する照明をオフ（ＯＦＦ）にする。
【００９８】
なお、本明細書と図面に開示された本発明の実施例は、理解を助けるために特定例を提示したものに過ぎず、本発明の範囲を限定しようとするものではない。ここに開示された実施例以外にも本発明の技術的思想にも基づく他の変形例実施可能であることは、本発明の属する技術分野における通常の知識を有する者に自明である。
【産業上の利用可能性】
【００９９】
本発明は、照明自動制御方法及びシステムにおいて、ユーザＩＤを識別し、ビルの出入り有無を判断し、識別されたユーザに連関された照明リストを検索し、該当する多数の照明を制御することによって、室内在室人員有無と関係なく、点灯及び消灯することによって、空きの空間の照明点灯に起因するエネルギーの無駄使いを低減することができると共に、照明ランプの交替費用や照明エネルギーによる費用を低減することができ、且つユーザがスイッチを用いて点灯及び消灯をしなければならないシステムの不便さを減少させることができ、ビル内の自分の出入り情報によって自動で点灯及び消灯し、ユーザ便宜を向上させることができ、付加的にビル内の空調システムと自動に連動して在室人員に対するデータをリアルタイムで把握し、経済的な相乗効果をもたらすことができる。
【符号の説明】
【０１００】
１０  ＩＤ認識対象
２０  ＩＤ認識部
３０  ビル管理サーバー
３１  ビル制御部
３２  出入り情報管理部
３３  出入者情報収集部
３４  出入者ＤＢ
３５  照明メイン管理部
３６  照明回路ＤＢ
３７  ユーザ照明設定インターフェース部
４０  通信網
５０  照明中間管理部
６０  ユーザ照明設定部
１００  照明自動制御システム
【図１】
2013541809.tif 000003
【図２】
2013541809.tif 000004
【図３】
2013541809.tif 000005
【図４】
2013541809.tif 000006
【図５】
2013541809.tif 000007
【図６】
2013541809.tif 000008
【図７】
2013541809.tif 000009
【図８】
2013541809.tif 000010
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
少なくとも１つのユーザＩＤを識別し、前記識別されたユーザＩＤに該当するユーザ情報を確認する出入り情報管理部と、
ビル制御部の信号によって多数の照明リストを確認し、少なくとも１つの照明を動作するために照明中間管理部を制御する照明メイン管理部と、
前記ユーザＩＤを確認し、前記確認されたユーザＩＤに対するビルの出入り有無を判断し、前記ユーザＩＤのユーザが前記ビルに出入りする場合、前記確認されたユーザＩＤに連関された照明リストを検索し、前記検索された照明リストに含まれる多数の照明を制御してオン（ＯＮ）にし、
前記出入り有無の判断結果、前記ユーザＩＤのユーザが前記ビルから退室する場合、前記確認されたユーザＩＤに連関された照明リストを検索し、検索された照明リストに含まれる照明のうち他のユーザＩＤに対する照明リストの照明と重複する少なくとも１つの照明が存在するか否かを判断し、重複する照明が存在する場合、前記照明リストのうち重複する照明を除いた残りの照明を制御してオフ（ＯＦＦ）にする前記ビル制御部と、
を含むことを特徴とするビル管理サーバー。
【請求項２】
前記出入り情報管理部は、
前記ユーザＩＤをＲＦカード認識、指紋認識、虹彩認識及びキーパッドを利用した番号認識のうち少なくとも１つの認識手段を介して認識することを特徴とする請求項１に記載のビル管理サーバー。
【請求項３】
前記ビル制御部は、
前記重複する照明が存在するか否かを判断した結果、重複する照明が存在しない場合、前記照明リストに含まれたすべての照明を制御してオフ（ＯＦＦ）にすることを特徴とする請求項１に記載のビル管理サーバー。
【請求項４】
前記ビル制御部は、
多数のユーザに対するそれぞれの事務室位置を確認し、前記ユーザが事務室に移動する位置に連関された多数の照明リストを照明回路ＤＢで検索し、前記検索された照明リストとユーザＩＤをマッチングして出入者ＤＢに登録することを特徴とする請求項１に記載のビル管理サーバー。
【請求項５】
前記ビル制御部は、
前記ユーザＩＤが遠隔地ビルのユーザに連関されたユーザＩＤであるか否かを確認し、前記ユーザＩＤが遠隔地ビルのユーザＩＤである場合、前記遠隔地ビルの照明を制御することを特徴とする請求項１に記載のビル管理サーバー。
【請求項６】
前記ビル制御部は、前記確認されたユーザＩＤを用いてビル内の在室人員に対する数値を確認して計算し、前記計算された数値を保存し表示することを特徴とする請求項１に記載のビル管理サーバー。
【請求項７】
前記ビル制御部は、
ユーザから照明リスト設定が要請されるか否かを判断し、前記照明リスト設定が要請される場合、多数の照明を選択するための設定画面を提示し、前記ユーザから入力される前記照明リストを選択し、前記照明リストに含まれる多数の照明数が既定の照明数を超過するか否かを確認し、前記照明リストの数が既定の個数を超過しない場合、前記照明リストの設定を完了することを特徴とする請求項１に記載のビル管理サーバー。
【請求項８】
前記ビル制御部は、
前記ユーザから入力される照明リストを確認し、前記照明リストの数が既定の個数を超過する場合、警告メッセージを提示することを特徴とする請求項７に記載のビル管理サーバー。
【請求項９】
前記ビル制御部は、
各照明に対する消耗電力を計算し、計算された消耗電力に対する電力使用値を各階ごとにリアルタイムで区分して保存し表示することを特徴とする請求項１に記載のビル管理サーバー。
【請求項１０】
ビル管理サーバーが少なくとも１つのユーザＩＤを確認する段階と、
前記ビル管理サーバーが前記確認されたユーザＩＤに対するビルの出入り有無を判断する段階と、
前記判断結果、前記ユーザＩＤのユーザが前記ビルに出入りする場合、前記ビル管理サーバーが前記確認されたユーザＩＤに連関された照明リストを検索し、前記検索された照明リストに含まれる多数の照明を制御してオン（ＯＮ）にする段階と、
前記判断結果、前記ユーザＩＤのユーザが前記ビルから退室する場合、前記ビル管理サーバーが前記確認されたユーザＩＤに連関された照明リストを検索し、前記検索された照明リストに含まれる照明のうち他のユーザＩＤに対する照明リストの照明と重複する少なくとも１つの照明が存在するか否かを確認し、前記照明リストのうち重複する照明を除いた残りの照明を制御してオフ（ＯＦＦ）にする段階と、
を含むことを特徴とするビル内の照明自動制御方法。
【請求項１１】
前記確認する段階は、
前記ビル管理サーバーが前記ユーザＩＤを認識する段階と、
前記ビル管理サーバーが前記認識されたユーザＩＤに該当する事務室の位置及びユーザ名前に対するユーザ情報を確認する段階と、
を含むことを特徴とする請求項１０に記載のビル内の照明自動制御方法。
【請求項１２】
前記確認する段階は、
前記ユーザＩＤをＲＦカード認識、指紋認識、虹彩認識及びキーパッドを利用した番号認識のうち少なくとも１つの認識手段を介して認識することを特徴とする請求項１０に記載のビル内の照明自動制御方法。
【請求項１３】
前記オフ（ＯＦＦ）にする段階は、
前記重複する照明が存在するか否かを判断した結果、重複する照明が存在しない場合、前記ビル管理サーバーは、前記照明リストに含まれたすべての照明を制御してオフ（ＯＦＦ）にする段階、をさらに含むことを特徴とする請求項１０に記載のビル内の照明自動制御方法。
【請求項１４】
前記確認する段階前に、
前記ビル管理サーバーは、多数のユーザに対するそれぞれの事務室位置を確認する段階と、
前記ビル管理サーバーは、前記ユーザが事務室に移動する位置に連関された多数の照明リストを検索する段階と、
前記ビル管理サーバーが前記検索された照明リストとユーザのＩＤをマッチングして登録する段階と、
を含むことを特徴とする請求項１０に記載のビル内の照明自動制御方法。
【請求項１５】
前記確認する段階は、
前記ビル管理サーバーが前記ユーザＩＤが遠隔地ビルのユーザに連関されたユーザＩＤであるか否かを確認する段階と、
前記確認結果、前記ユーザＩＤが遠隔地ビルのユーザＩＤである場合、前記ビル管理サーバーが前記遠隔地ビルの照明を制御する段階と、
をさらに含むことを特徴とする請求項１０に記載のビル内の照明自動制御方法。
【請求項１６】
前記制御する段階は、
前記ビル管理サーバーが前記遠隔地ビルの照明を制御するために前記確認されたユーザＩＤに対するビルの出入り有無を判断する段階と、
前記判断結果、前記ユーザＩＤのユーザが前記ビルに出入りする場合、前記ビル管理サーバーが前記確認されたユーザＩＤに連関された照明リストを検索する段階と、
前記ビル管理サーバーが前記検索された照明リストに含まれる多数の照明を制御してオン（ＯＮ）にする段階と、
を含むことを特徴とする請求項１５に記載のビル内の照明自動制御方法。
【請求項１７】
前記判断する段階後に、
前記ビル管理サーバーが前記確認されたユーザＩＤを用いてビル内の在室人員に対する数値を確認して計算する段階と、
前記ビル管理サーバーが前記計算された数値を保存し表示する段階と、
をさらに含むことを特徴とする請求項１０に記載のビル内の照明自動制御方法。
【請求項１８】
前記オン（ＯＮ）にする段階後に、
前記ビル管理サーバーがユーザから照明リスト設定が要請されるか否かを判断する段階と、
前記判断結果、前記照明リスト設定が要請される場合、前記ビル管理サーバーが多数の照明を選択するための設定画面を提示する段階と、
前記ビル管理サーバーが前記ユーザから入力される前記照明リストを選択する段階と、
前記ビル管理サーバーが前記照明リストに含まれる多数の照明数が既定の照明数を超過するか否かを確認する段階と、
前記確認結果、前記照明リストの数が既定の個数を超過しない場合、前記ビル管理サーバーが前記照明リストの設定を完了する段階と、
をさらに含むことを特徴とする請求項１０に記載のビル内の照明自動制御方法。
【請求項１９】
前記既定の照明数を超過するか否かを確認する段階は、
前記確認結果、前記照明リストの数が既定の個数を超過する場合、前記ビル管理サーバーが警告メッセージを提示する段階、
をさらに含むことを特徴とする請求項１８に記載のビル内の照明自動制御方法。
【請求項２０】
前記オン（ＯＮ）にする段階後に、
前記ビル管理サーバーが、各照明に対する消耗電力を計算する段階と、
前記ビル管理サーバーが、計算された消耗電力に対する電力使用値を各階ごとにリアルタイム区分して保存し表示する段階と、
をさらに含むことを特徴とする請求項１０に記載のビル内の照明自動制御方法。
【国際調査報告】
2013541809.tif 000011
2013541809.tif 000012
2013541809.tif 000013
2013541809.tif 000014